(57)【要約】【課題】テーブルを使用位置から退避位置へ移動させられるようにしても、使用位置へ簡便に戻せるようにする。【解決手段】テーブル本体１１を支持台４に対して動かせる状態に連結するテーブル移動装置１０Ｍは、テーブル本体１１を物載せとして使用可能な水平姿勢とした状態で着座者の前部に位置させた使用位置と使用位置から前方外側に退避移動させた退避位置との間で旋回させられるようにする旋回機構１３と、テーブル本体１１を使用位置に向けて附勢するバネ１３Ｃと、を有する。テーブル本体１１は、上記バネ１３Ｃの附勢力に抗して退避位置へ押し回されても、その力が解放されることにより、附勢構造の附勢力によって使用位置に戻されるようになっている。【選択図】図１
2015214238.tif 000002
【特許請求の範囲】
【請求項１】
乗物用テーブルであって、
物載せとなるテーブル本体と、
該テーブル本体をベースに対して動かせる状態に連結するテーブル移動装置と、を有し、
前記テーブル移動装置は、
前記テーブル本体を物載せとして使用可能な水平姿勢とした状態で着座者の前部に位置させた使用位置と該使用位置から前方外側に退避移動させた退避位置との間で旋回させられるようにする旋回機構と、
前記テーブル本体を前記使用位置に向けて附勢する附勢構造と、を有し、
前記テーブル本体は、前記附勢構造の附勢力に抗して前記退避位置へ押し回されても、その力が解放されることにより前記附勢構造の附勢力によって前記使用位置に戻されるようになっていることを特徴とする乗物用テーブル。
【請求項２】
請求項１に記載の乗物用テーブルであって、
前記旋回機構は、前記テーブル本体を前記使用位置から前記退避位置へ退避させる移動により前記テーブル本体の高さ位置を上げるようになっていることを特徴とする乗物用テーブル。
【請求項３】
請求項２に記載の乗物用テーブルにおいて、
前記旋回機構は、前記テーブル本体の退避移動により前記テーブル本体を支える支持部が前記テーブル本体を水平姿勢に保ったまま高さ方向に傾斜したガイド部の案内形状に沿ってスライドして前記テーブル本体の高さ位置を上げる構成となっていることを特徴とする乗物用テーブル。
【発明の詳細な説明】
【技術分野】
【０００１】
本発明は、乗物用テーブルに関する。詳しくは、乗物用シートの着座者に供される乗物用テーブルに関する。
【背景技術】
【０００２】
従来、乗物用シートにおいて、物載せとなるテーブルが展開・収納可能に設けられた技術が知られている（特許文献１）。上記テーブルは、着座者の前部に展開された使用位置の状態から、これを前方外側に押し退けて退避移動させることができるようになっている。
【先行技術文献】
【特許文献】
【０００３】
【特許文献１】特開平３−５００３７号公報
【発明の概要】
【発明が解決しようとする課題】
【０００４】
しかし、上記従来技術では、テーブルを退避移動させた後、再び使用状態に戻すためにテーブルを手動で戻さなければならないため、操作が面倒である。本発明は、上述した問題を解決するものとして創案されたものであって、本発明が解決しようとする課題は、テーブルを使用位置から退避位置へ移動させられるようにしても、使用位置へ簡便に戻せるようにすることにある。
【課題を解決するための手段】
【０００５】
上記課題を解決するために、本発明の乗物用テーブルは次の手段をとる。
【０００６】
第１の発明は、乗物用テーブルであって、物載せとなるテーブル本体と、テーブル本体をベースに対して動かせる状態に連結するテーブル移動装置と、を有する。テーブル移動装置は、テーブル本体を物載せとして使用可能な水平姿勢とした状態で着座者の前部に位置させた使用位置と使用位置から前方外側に退避移動させた退避位置との間で旋回させられるようにする旋回機構と、テーブル本体を使用位置に向けて附勢する附勢構造と、を有する。テーブル本体は、上記附勢構造の附勢力に抗して退避位置へ押し回されても、その力が解放されることにより、附勢構造の附勢力によって使用位置に戻されるようになっている。
【０００７】
この第１の発明によれば、テーブル本体は、旋回機構により使用位置から退避位置へ移動させられるようになっていても、附勢構造の附勢力によって使用位置に保持されやすくなる。したがって、テーブル本体を使用位置に安定させやすくすることができる。また、テーブル本体を上記使用位置から退避位置へ押し回しても、テーブル本体が附勢構造の附勢力によって自然と使用位置に戻されるため、テーブル本体を戻すための操作を不要とすることができる。
【０００８】
第２の発明は、上述した第１の発明において、次の構成とされているものである。旋回機構は、テーブル本体を使用位置から退避位置へ退避させる移動により、テーブル本体の高さ位置を上げるようになっている。
【０００９】
この第２の発明によれば、テーブル本体を退避移動させた時にアームレスト等の障害物と干渉させにくくすることができる。また、テーブル本体の高さが上げられることで、乗物用シートの座面からの高さスペースも広げられるため、乗員のシートに対する離着席をより簡便にすることができる。
【００１０】
第３の発明は、上述した第２の発明において、次の構成とされているものである。旋回機構は、テーブル本体の退避移動によりテーブル本体を支える支持部がテーブル本体を水平姿勢に保ったまま高さ方向に傾斜したガイド部の案内形状に沿ってスライドして、テーブル本体の高さ位置を上げる構成となっている。
【００１１】
この第３の発明によれば、テーブル本体を物載せとして機能させられる水平姿勢の状態に保ったまま、使用位置と前斜め上方外側の退避位置との間で移動させることができる。
【図面の簡単な説明】
【００１２】
【図１】実施例１のテーブルが使用位置に展開された状態を示す斜視図である。
【図２】同正面図である。
【図３】同平面図である。
【図４】テーブルの収納状態を示す斜視図である。
【図５】同正面図である。
【図６】同側面図である。
【図７】テーブルが収納位置から上方側に引き上げられた状態を示す斜視図である。
【図８】同正面図である。
【図９】テーブルが斜めの展開位置まで倒し込まれた状態を示す斜視図である。
【図１０】同正面図である。
【図１１】テーブルが上記斜めの展開位置から使用位置に倒し込まれた状態を示す斜視図である。
【図１２】同正面図である。
【図１３】図３のXIII-XIII線断面図である。
【図１４】テーブルを前方外側へ押し出した状態を示す平面図である。
【図１５】同正面図である。
【図１６】旋回機構の模式図である。
【発明を実施するための形態】
【００１３】
以下に、本発明を実施するための形態について、図面を用いて説明する。
【実施例１】
【００１４】
始めに、実施例１のテーブル１０の構成について、図１〜図１６を用いて説明する。本実施例のテーブル１０は、図１〜図６に示すように、自動車のシート１に展開・収納可能に備えられた構成となっている。ここで、上記シート１は、着座者の背凭れとなるシートバック２と、着座部となるシートクッション３と、を有し、シートクッション３の左右両側部に上方側に立壁上に延びる支持台４を備えた構成となっている。上記各支持台４は、その上面部がアームレスト５となっており、着座者が肘掛けとして利用することができるようになっている。
【００１５】
上述したテーブル１０は、物載せとなるテーブル本体１１と、テーブル本体１１を上述したシート１の左側部に設けられた支持台４に対して動かせる状態に連結するテーブル移動装置１０Ｍと、を備えた構成となっている。ここで、上記シート１の左側部に設けられた支持台４が本発明の「ベース」に相当する。具体的には、上述したテーブル移動装置１０Ｍは、テーブル本体１１を、支持台４の内部に収納した収納位置（図４〜図６に示す位置）と、着座者の前部に水平姿勢の状態に展開させた使用位置（図１〜図３に示す位置）と、の間で移動させることができるようになっている。ここで、上述したテーブル本体１１を収納するシート１の左側部に設けられた支持台４の上面部のアームレスト５は、テーブル本体１１の展開収納時に外側に開けられて支持台４の内部空間を上方側に開口させた状態とできるように、支持台４の上面部に開閉可能にヒンジ連結された状態となっている。
【００１６】
上述したテーブル移動装置１０Ｍは、図１〜図３に示すように、テーブル本体１１を支持台４に対して支持する支持アーム１２と、テーブル本体１１を使用位置に展開させた状態から前方外側に押し回して退避移動させられるようにする旋回機構１３と、支持アーム１２を支持台４に対して高さ方向にスライドさせられる状態に連結するスライダ１４と、を有する。上述したスライダ１４は、図４〜図６及び図７〜図８に示すように、支持台４の内部に設けられたガイドレール４Ａに対して高さ方向にのみ移動可能となるように組み付けられた状態とされている。
【００１７】
具体的には、上述したスライダ１４は、その前後に立板状に張り出す各嵌合部１４Ａが、支持台４内部のスライダ１４の前後位置に設けられた高さ方向に延びる各ガイドレール４Ａのレール溝４Ａ１内にそれぞれ嵌め込まれていることにより、各レール溝４Ａ１の形状に沿って高さ方向にのみ移動可能となるようにガイドされて組み付けられた状態とされている。上記スライダ１４は、図７〜図８に示すように、上述した各レール溝４Ａ１内をスライドする各嵌合部１４Ａが、各レール溝４Ａ１の上端面に当たることで、その上方側へのスライドが係止されるようになっている。
【００１８】
支持アーム１２は、テーブル本体１１より前後方向の板幅の狭い平板状の部材によって構成されており、その下端部が上述したスライダ１４の上部に対して、シート前後方向に軸方向を向ける回転軸１２Ａにより回転可能に連結された状態とされている。これにより、支持アーム１２は、図４〜図６及び図７〜図８に示すように、上述したスライダ１４上に対して、真っ直ぐ上方側に起立して支持台４に対して高さ方向に出し入れ可能な状態となったり、図９〜図１０に示すように、回転軸１２Ａを中心にシート内側に倒されて支持台４からシート内側に張り出した状態となったりすることができる構成とされている。
【００１９】
上述した支持アーム１２は、詳しくは、図７〜図８に示すように、上述したスライダ１４が支持台４の内部において上方側への移動が係止される位置まで移動されることにより、図９〜図１０に示すように、支持台４のシート内側部に形成された開口部４Ｂからシート内側に張り出す形で倒し込むことができるようになっている。上記支持アーム１２は、スライダ１４が上記より低い位置までしか引き上げられていない状態では、上記のような倒し込みを行おうとしても、支持台４の内部側壁４Ｃに当たってしまい、倒し込みが行えないようになっている。
【００２０】
上記支持アーム１２は、上記図９〜図１０に示した状態まで倒し込まれることにより、その根元側となる下端部のシート内側面部に突出形成されたストッパ片１２Ｃが支持台４の内部側壁４Ｃの上面部に形成されたストッパ面４Ｃ１に当たり、その傾倒が図示の傾斜位置に係止されるようになっている。上述したストッパ片１２Ｃは、上述した支持台４の内部側壁４Ｃの上面部に形成されたストッパ面４Ｃ１に対して、高さ方向に真っ直ぐに面を当接させるようになっている。上記面当接によって、上述した支持アーム１２に連結されたスライダ１４の下方側への移動が係止された状態に留められると共に、テーブル本体１１から支持アーム１２にかけられる負荷が受け止められるようになっている。
【００２１】
テーブル本体１１は、図１〜図３に示すように、平板状の部材によって構成されており、その裏面側の中間部に、上述した支持アーム１２の上端部がシート前後方向に軸方向を向ける回転軸１２Ｂによって回転可能に連結された状態とされている。これにより、テーブル本体１１は、上述した支持アーム１２に対して回転軸１２Ｂを中心に首振り運動することができる状態とされている。具体的には、上述したテーブル本体１１は、図９〜図１０に示すように、上述した支持アーム１２が支持台４の内部から引き出されてシート内側に斜めに倒し込まれた状態において、支持アーム１２の上に形状を重ねた斜めの傾斜位置と、図１１〜図１２に示すように、上記傾斜位置から水平角度まで落とし込まれた使用位置と、の間で支持アーム１２に対して首振り運動により起倒回転させられるようになっている。
【００２２】
上述したテーブル本体１１は、図９〜図１０に示すように、上述した支持アーム１２の上に形状を重ねた傾斜位置の状態で、図７〜図８に示すように、支持アーム１２と共にスライダ１４の上部に真っ直ぐ上方側に起立した状態に畳まれたり、図４〜図６に示すように、支持アーム１２と共に支持台４の内部に落とし込まれて収納されたりするようになっている。また、上記テーブル本体１１は、上記支持台４の内部に収納された状態から、アームレスト５を外側に開いて、その内部に露呈するテーブル本体１１を上方側へ引き上げることにより、図７〜図８に示すように、支持アーム１２と共にスライダ１４を上方側へスライドさせながら支持台４の上部に引き出されるようになっている。そして、テーブル本体１１は、上記支持台４の上部に引き出された後に、支持アーム１２と共にスライダ１４に対してシート内側に倒し込むように回転させることにより、図９〜図１０に示すように、支持アーム１２と共にシート内側に斜め上がりに傾斜した姿勢状態に展開されるようになっている。
【００２３】
そして、上記テーブル本体１１は、上記斜めの角度姿勢に展開されることにより、自重によって支持アーム１２との回転軸１２Ｂを中心に水平角度まで落とし込まれて係止された状態となる（図１１〜図１２）。ここで、上記テーブル本体１１と支持アーム１２とを連結する回転軸１２Ｂは、テーブル本体１１の横幅方向（回転半径方向）の中央部よりシート外側寄りの位置に設定されている。このように設定されていることにより、テーブル本体１１は、上記支持アーム１２と共に図９〜図１０に示す斜めの角度姿勢まで展開されることにより、自重によって自然と水平姿勢の使用位置まで落とし込まれるようになっている。また、上記設定により、テーブル本体１１は、上記水平姿勢の使用位置に落とし込まれた状態においても、その自重作用により、上述した傾斜位置へ跳ね上げられにくい状態に保たれやすい構成とされている。
【００２４】
上述したテーブル本体１１は、上記水平姿勢の使用位置の状態まで落とし込まれることにより、支持アーム１２の先端部に形成された係止部１２Ｄが後述するテーブル本体１１の底部に設けられた旋回機構１３の固定板１３Ｂの底部に当たって、その落とし込み方向の回転が係止されるようになっている。
【００２５】
上述したテーブル本体１１は、上述した図１〜図３に示した水平姿勢の使用位置に展開された状態において、着座者がテーブル本体１１を前方側へ押圧することにより、図１４に示すように、その支持アーム１２との連結部の近傍箇所に設定された旋回機構１３の作動によってシート外側前方へ押し回されるようになっている。この旋回回転により、テーブル本体１１は、着座者がシート１から離着席する際に邪魔とならない退避位置に押し退けられた状態となる。具体的には、テーブル本体１１は、上記旋回機構１３の作動により、着座者の前部の使用位置から同テーブル本体１１を支える支持台４の上部に形状を重ねる位置まで押し動かされるようになっている。
【００２６】
このとき、テーブル本体１１は、図１５に示すように、その使用位置から退避位置までの旋回移動に伴って、高さ位置を上げながら移動していくようになっている。これにより、テーブル本体１１は、上記支持台４の上部にあるアームレスト５と干渉することのない状態に退避されていくようになっている。また、上記テーブル本体１１は、上記退避位置へ押し退けられる力が取り除かれることにより、上記旋回機構１３に設定された後述する附勢構造により、自然と元の使用位置まで戻されていくようになっている。
【００２７】
このような構成となっていることにより、テーブル本体１１は、着座者がテーブル本体１１を前方外側へ押し退けてシート１から離席することにより、自然と上記退避位置からシート１の設置領域内である使用位置まで戻されて、シート１の外部領域に形状を張り出させない状態とされるようになっている。また、テーブル本体１１は、乗員がシート１に着席するためにテーブル本体１１を使用位置から退避位置まで移動させてシート１に着席した場合にも、自然と元の使用位置まで戻されて、使用可能な状態とされるようになっている。
【００２８】
上記旋回機構１３の具体的な構成について説明すると、旋回機構１３は、テーブル本体１１の底部箇所に設けられており、テーブル本体１１を支持アーム１２の上端部に対して旋回可能に連結した構成となっている。具体的には、旋回機構１３は、テーブル本体１１の底部に固定された可動板１３Ａと、支持アーム１２の上端部に上述した回転軸１２Ｂにより連結された固定板１３Ｂと、これら固定板１３Ｂと可動板１３Ａとの間に掛着されたバネ１３Ｃと、を有する。ここで、可動板１３Ａが本発明の「支持部」に相当し、固定板１３Ｂが本発明の「ガイド部」に相当する。
【００２９】
上述した可動板１３Ａは、固定板１３Ｂ上に高さ方向に円筒状に張り出して形成された円筒部１３Ｂ１に嵌め込まれて、円筒部１３Ｂ１を軸に旋回方向に回転することができるように設けられた状態とされている。詳しくは、図１３及び図１６に示すように、上記可動板１３Ａと固定板１３Ｂとは、上述した円筒部１３Ｂ１に嵌め込まれた可動板１３Ａの孔の内周部に設けられたスライドピン１３Ａ１が、固定板１３Ｂの円筒部１３Ｂ１の外周部に形成された、高さ方向に螺旋状に延びるガイド溝１３Ｂ２内に嵌め込まれた状態として、スライドピン１３Ａ１がガイド溝１３Ｂ２の形状に沿ってスライドするように組み付けられた状態とされている。上記可動板１３Ａの固定板１３Ｂに対する可動範囲は、上記スライドピン１３Ａ１がガイド溝１３Ｂ２の形状に沿ってスライドすることができる可動範囲内として規制されている。この規制構造により、可動板１３Ａは、固定板１３Ｂに対して、テーブル本体１１を使用位置と退避位置との間で移動させる範囲でのみ回転するようになっている。
【００３０】
このような構造とされていることにより、可動板１３Ａは、固定板１３Ｂに対して使用位置から退避位置まで旋回方向に回転する動きに伴って、スライドピン１３Ａ１がガイド溝１３Ｂ２の形状に沿ってスライドし、ガイド溝１３Ｂ２の形状によって上方側に持ち上げられるようになっている。上述したスライドピン１３Ａ１とガイド溝１３Ｂ２とのスライドガイド構造は、円周方向の２箇所の位置に設定されている。上記スライドガイド構造により、可動板１３Ａは、固定板１３Ｂに対して高さ方向の角度を一定状態に保ったまま旋回方向と高さ方向とに動かされるようになっており、テーブル本体１１を水平姿勢の状態に保ったまま使用位置と退避位置との間で移動させられるようになっている。
【００３１】
また、上述した可動板１３Ａと固定板１３Ｂとの間には、これらの外周部間にバネ１３Ｃ（引張バネ）が掛着されている。このバネ１３Ｃの附勢力により、可動板１３Ａは、固定板１３Ｂに対して、常時、退避位置から使用位置に向かって戻される方向の附勢力を受けた状態とされており、退避操作される前の常時は使用位置に保持された状態とされている。そして、上記バネ１３Ｃの附勢力によって、テーブル本体１１は、上記使用位置から退避位置に押し退けられた力が取り除かれることによって、退避位置から使用位置に戻されるようになっている。なお、テーブル本体１１は、上記スライドピン１３Ａ１をスライドガイドするガイド溝１３Ｂ２が螺旋状に傾斜した形状となっていることにより、上記バネ１３Ｃの附勢力が働かなくても、重力作用によって退避位置から使用位置に自然と戻されるようになっている。しかし、バネ１３Ｃが設定されていることにより、上記テーブル本体１１を使用位置に適切に戻すことができるようになっている。ここで、上記スライドピン１３Ａ１をスライドガイドするガイド溝１３Ｂ２とバネ１３Ｃが、それぞれ、本発明の「附勢構造」に相当する。
【００３２】
以上をまとめると、本実施例のテーブル１０は次のような構成となっている。すなわち、本実施例のテーブル１０は、物載せとなるテーブル本体１１と、テーブル本体１１をベース（支持台４）に対して動かせる状態に連結するテーブル移動装置１０Ｍと、を有する。テーブル移動装置１０Ｍは、テーブル本体１１を物載せとして使用可能な水平姿勢とした状態で着座者の前部に位置させた使用位置と使用位置から前方外側に退避移動させた退避位置との間で旋回させられるようにする旋回機構１３と、テーブル本体１１を使用位置に向けて附勢する附勢構造（ガイド溝１３Ｂ２及びバネ１３Ｃ）と、を有する。テーブル本体１１は、上記附勢構造（ガイド溝１３Ｂ２及びバネ１３Ｃ）の附勢力に抗して退避位置へ押し回されても、その力が解放されることにより、附勢構造（ガイド溝１３Ｂ２及びバネ１３Ｃ）の附勢力によって使用位置に戻されるようになっている。
【００３３】
このような構成となっていることにより、テーブル本体１１は、旋回機構１３により使用位置から退避位置へ移動させられるようになっていても、附勢構造（ガイド溝１３Ｂ２及びバネ１３Ｃ）の附勢力によって使用位置に保持されやすくなる。したがって、テーブル本体１１を使用位置に安定させやすくすることができる。また、テーブル本体１１を上記使用位置から退避位置へ押し回しても、テーブル本体１１が附勢構造（ガイド溝１３Ｂ２及びバネ１３Ｃ）の附勢力によって自然と使用位置に戻されるため、テーブル本体１１を戻すための操作を不要とすることができる。
【００３４】
また、旋回機構１３は、テーブル本体１１を使用位置から退避位置へ退避させる移動により、テーブル本体１１の高さ位置を上げるようになっている。このような構成となっていることにより、テーブル本体１１を退避移動させた時にアームレスト５等の障害物と干渉させにくくすることができる。また、テーブル本体１１の高さが上げられることで、シート１の座面からの高さスペースも広げられるため、乗員のシート１に対する離着席をより簡便にすることができる。
【００３５】
また、旋回機構１３は、テーブル本体１１の退避移動によりテーブル本体１１を支える支持部（可動板１３Ａ）がテーブル本体１１を水平姿勢に保ったまま高さ方向に傾斜したガイド部（固定板１３Ｂ）の案内形状（ガイド溝１３Ｂ２）に沿ってスライドして、テーブル本体１１の高さ位置を上げる構成となっている。このような構成となっていることにより、テーブル本体１１を物載せとして機能させられる水平姿勢の状態に保ったまま、使用位置と前斜め上方外側の退避位置との間で移動させることができる。
【符号の説明】
【００３６】
１      シート
２      シートバック
３      シートクッション
４      支持台（ベース）
４Ａ    ガイドレール
４Ａ１  レール溝
４Ｂ    開口部
４Ｃ    内部側壁
４Ｃ１  ストッパ面
５      アームレスト
１０    テーブル
１０Ｍ  テーブル移動装置
１１    テーブル本体
１２    支持アーム
１２Ａ  回転軸
１２Ｂ  回転軸
１２Ｃ  ストッパ片
１２Ｄ  係止部
１３    旋回機構
１３Ａ  可動板（支持部）
１３Ａ１  スライドピン
１３Ｂ  固定板（ガイド部）
１３Ｂ１  円筒部
１３Ｂ２  ガイド溝（附勢構造）
１３Ｃ  バネ（附勢構造）
１４    スライダ
１４Ａ  嵌合部
【図１】
2015214238.tif 000003
【図２】
2015214238.tif 000004
【図３】
2015214238.tif 000005
【図４】
2015214238.tif 000006
【図５】
2015214238.tif 000007
【図６】
2015214238.tif 000008
【図７】
2015214238.tif 000009
【図８】
2015214238.tif 000010
【図９】
2015214238.tif 000011
【図１０】
2015214238.tif 000012
【図１１】
2015214238.tif 000013
【図１２】
2015214238.tif 000014
【図１３】
2015214238.tif 000015
【図１４】
2015214238.tif 000016
【図１５】
2015214238.tif 000017
【図１６】
2015214238.tif 000018